(57)【特許請求の範囲】
【請求項１】
連続紙の紙通経路方向に離隔して設けられるデカールローラの間に、
紙通経路をはさむ上側と下側に上側のデカーラバーと下側のデカーラバーを有し、この上側と下側のデカーラバーを紙通経路と直交する方向に移動可能にしたデカーラ部を設け、
紙通経路の上流側に位置する上記デカールローラの上流側、あるいは下流側に位置する上記デカールローラの下流側のいずれか一方側に、
上記デカーラ部における上側と下側のデカーラバーの押し付けにより両デカールローラ間で変化する連続紙の経路長を相殺する方向に調整する経路長調整部を設け、
上記上側のデカーラバーと下側のデカーラバーは十分小径のもので、その上側・下側のデカーラバーの両端部は上下に移動する部材に回転自在に支持され、上側のデカーラバーの中間部の上側が複数の受けコロで回転可能に受けられ、下側のデカーラバーの中間部の下側が複数の受けコロで回転可能に受けられ、
上側のデカーラバーと下側のデカーラバーは紙通経路方向に位置がずれ、上側のデカーラバーと下側と下側のデカーラバーの上側を同一高さとし、
上記経路長調整部は、受けローラと調整ローラを備え、この調整ローラを連続紙に押し付ける方向に移動可能とした
ことを特徴とするデカーラ装置。
【請求項２】
ロール紙から給紙される連続紙を印刷部にて印刷し、ついで切断装置にて枚葉紙に切断する連続紙加工装置において、
請求項１記載のデカーラ装置を印刷部と切断装置の間に配置した
ことを特徴とする連続紙加工装置。
【発明の詳細な説明】
【技術分野】
【０００１】
本発明は、ロール紙から給紙される連続紙の幅方向に変形したカールを除去するデカーラ装置及び、このデカーラ装置を用いた連続紙加工装置に関するものである。
【背景技術】
【０００２】
ロール紙から給紙される連続紙には、このロール紙の巻き癖による上記カールがついている。また給紙部から給紙されて印刷部にて印刷された連続紙は、この連続紙の表面と裏面との印刷密度の差によって表側あるいは裏側にカールすることがある。
【０００３】
このようにカールした連続紙を印刷後及びミシン目等の加工後において切断装置にて切断された枚葉紙にも上記カールが残り、その後の取り扱いに不都合が生じることがある。このため、ロール紙から供給される連続紙に、これの走行に従って印刷部にて印刷し、ついで加工部にてミシン目、ファイルパンチ穴等の加工を行った後に切断装置にてシート状に切断するようにした連続紙加工装置にあっては、この連続紙の走行路に上記カールを除去するデカーラ装置を備えている。
【０００４】
従来のこの種のデカーラ装置は、連続紙の一面側からデカーラバーを押し付ける構成になっている。そしてこのデカーラ装置は連続紙加工装置のロール紙から連続紙を給紙する給紙部の直後に設けられていた（例えば特許文献１、段落（００２６）、第１図参照）。
【０００５】
【特許文献１】特開２００３−２７５９９５号公報
【発明の開示】
【発明が解決しようとする課題】
【０００６】
上記した従来のデカーラ装置にあっては、連続紙の一面側からデカーラバーを押し付ける構成になっていたため、一面側にのみ巻き癖がつくロール紙からの給紙直後にあっては、このデカーラ装置でもよいが、上記カールがいずれの面につくか不定の場合、この連続紙のカール状態を確認した上で、この連続紙を上記デカーラバーの上側あるいは下側を紙通しすると共に、このデカーラバーの押し付け方向の設定を変えなければならず、その設定がやっかいであった。
【０００７】
また、この従来のデカーラ装置にあっては、デカーラバーの押し付け移動量により、この部分の連続紙の紙通経路長が変化し、このデカーラ装置を連続紙加工装置の印刷部と加工部の間、あるいは加工部内に設けると、装置内での見当がずれてしまうという問題があった。
【０００８】
このため、従来のデカーラ装置を用いた連続紙加工装置では、上記したように紙通経路長が変化しても連続紙の加工処理に影響を与えない給紙部の直後に設けられていたが、このように従来のデカーラ装置を用いた連続紙加工装置では、給紙部におけるロール紙の巻き癖によるカールを給紙部直後に除去できるが、その後の印刷部や加工部で生じたカールには対処できなかった。
【０００９】
また、上記したようにデカーラ装置が給紙部の直後に設けられていることにより、必然的に切断装置よりはるか上流側に位置されていることになり、デカーラ装置にてのカール除去の結果が切断装置にて切断された枚葉紙により確認できるまでに、給紙部から切断装置までの通紙経路に存在する分が、上記カール除去結果が未確認のままに流れてしまうという問題があった。
【００１０】
本発明は上記のことに鑑みなされたもので、本発明の第１の目的は、表面あるいは裏面のいずれの面側にカールした連続紙であっても、紙通経路を変えることなく、その一方面側に対応させることができ、しかもカール除去のためにデカーラバーを連続紙に押し付けたときに生じる連続紙の経路長の変化を装置内で調整でき、装置としての経路長の変化が生じることがなくデカール作動を可能したデカーラ装置を提供するものである。
【００１１】
また本発明の第２の目的は、上記したデカーラ装置を印刷部とカット装置の間に設けることにより、デカーラ装置によるデカール状態を切断装置の直前で確認することができて、カールした状態での枚葉紙を減少することができるようにした連続紙加工装置を提供しようとするものである。
【課題を解決するための手段】
【００１２】
上記第１の目的を達成するために、請求項１に記載の本発明に係るデカーラ装置は、連続紙の紙通経路方向に離隔して設けられるデカールローラの間に、
紙通経路をはさむ上側と下側に上側のデカーラバーと下側のデカーラバーを有し、この上側と下側のデカーラバーを紙通経路と直交する方向に移動可能にしたデカーラ部を設け、
紙通経路の上流側に位置する上記デカールローラの上流側、あるいは下流側に位置する上記デカールローラの下流側のいずれか一方側に、
上記デカーラ部における上側と下側のデカーラバーの押し付けにより両デカールローラ間で変化する連続紙の経路長を相殺する方向に調整する経路長調整部を設け、
上記上側のデカーラバーと下側のデカーラバーは十分小径のもので、その上側・下側のデカーラバーの両端部は上下に移動する部材に回転自在に支持され、上側のデカーラバーの中間部の上側が複数の受けコロで回転可能に受けられ、下側のデカーラバーの中間部の下側が複数の受けコロで回転可能に受けられ、
上側のデカーラバーと下側のデカーラバーは紙通経路方向に位置がずれ、上側のデカーラバーと下側と下側のデカーラバーの上側を同一高さとし、
上記経路長調整部は、受けローラと調整ローラを備え、この調整ローラを連続紙に押し付ける方向に移動可能とした構成になっている。
【００１３】
また、請求項２に記載の本発明に係る連続紙加工装置は、ロール紙から給紙される連続紙を印刷部にて印刷し、ついで切断装置にて枚葉紙に切断する連続紙加工装置において、請求項１記載のデカーラ装置を印刷部と切断装置の間に配置した構成になっている。
【発明の効果】
【００１４】
請求項１に記載のデカーラ装置によれば、これのデカーラ部に連続紙の紙通経路の上側と下側にデカーラバーがあることにより、このデカーラ部を紙通経路に対して直行する方向に下方あるいは上方に移動して、いずれか一方のデカーラバーを連続紙のいずれか一側面に押し付けることができて、表面あるいは裏面のいずれの面側にカールした連続紙であっても紙通経路を変えることなく、その一方面側に対応させることができる。
【００１５】
また、上記デカーラ部の紙通経路の一方側にデカーラ部において変化した連続紙の経路長を経路長調整部にて相殺することができて、デカーラ作業をデカーラ装置内における連続紙の経路長に変化が生じることなく行うことができる。
【００１６】
したがって、このデカーラ装置を連続紙加工装置の印刷部と加工部の間に配置した場合に、このデカーラ装置を作動させても印刷部から加工部（切断装置）間の紙通経路長を常時所定長さに保持することができ、印刷絵柄と加工部における各種加工処理位置との位置関係を常時定位置に保持することができる。
【００１７】
また、請求項２に記載の上記請求項１記載のデカーラ装置を用いた連続紙加工装置によれば、上記デカーラ装置を印刷部と切断装置の間に配置したことにより、デカーラ装置によるデカール状態を切断装置の直前で確認することができて、カールした状態での枚葉紙を減少することができ、枚葉紙の品質向上と枚葉紙作成のための作業性を向上することができる。また、上記デカーラ装置を印刷部の下流側に配置したことにより、印刷部によって連続紙のいずれの面にカールが発生しても、これに対応してデカーラ装置を用いて上記印刷によるカールを除去することができる。
【発明を実施するための最良の形態】
【００１８】
本発明の実施の形態を図面に基づいて説明する。
【００１９】
図１は連続紙加工装置１を示すもので、この連続紙加工装置１に本発明に係るデカーラ装置２が備えられている。連続紙加工装置１は、ロール紙３から連続紙４を給紙する給紙部５と、給紙部５から給紙された連続紙４に１つあるいは複数の印刷ユニット６ａ，６ｂ，６ｃにて所定の印刷を施す印刷部６と、ついでこの連続紙４に、例えば糊塗布機７ａにて所定の位置に糊を塗布し、ミシン目加工機７ｂにて縦ミシン目や横ミシン目を加工し、さらに切断装置７ｃにて枚葉紙に切断する加工部７とからなっている。８は切断された枚葉紙を積み重ね排出する排出装置である。
【００２０】
この連続紙加工装置１の印刷部６と加工部７の切断装置７ｃとの間に上記デカーラ装置２が配置されている。この実施の形態では、例えば加工部７の糊塗布装置７ａとミシン目加工機７ｂの間に上記デカーラ装置２を配置した例を示したが、これは切断装置７ｃの直上流部にデカーラ装置２を設けてもよい。
【００２１】
上記デカーラ装置２は図２に示すようになっていて、互いに転接する一対のローラ９ａ，９ｂにて連続紙４を挟んで対向するようにして紙通経路Ｌ方向に配置される上流側及び下流側のデカールローラ１０ａ，１０ｂと、この両デカールローラ１０ａ，１０ｂの間に上下方向に移動可能にして配置されるデカーラ部１１と、下流側のデカールローラ１０ｂより下流側に設けた受けローラ１２と、下流側のデカールローラ１０ｂと受けローラ１２との間に設けられて、この両ローラ１０ｂ、１２間における連続紙４の経路長を調整する経路長調整部１３とからなっている。なおこの経路長調整部１３は、受けローラ１２と共に上流側のデカールローラ１０ａの上流側に配置してもよい。
【００２２】
上記デカーラ部１１は、上側のデカーラバー１４ａを有する上側デカーラ部材１１ａと、下側のデカーラバー１４ｂを有する下側デカーラ部材１１ｂとからなっており、この両デカーラ部材１１ａ、１１ｂはそれぞれのデカーラバー１４ａ，１４ｂが連続紙４の紙通経路Ｌの方向に位置をずらせて上下方向に対向するようにして配置されており、その両端部は連続紙４の幅方向（以下単に幅方向という）の両端に設けられた連結板１５ａ，１５ｂに回転自在に支持されている。
【００２３】
上記両デカーラ部材１１ａ，１１ｂの構成は、上下で点対称となって同一構成となっているので、図４、図５、図６にてその一方（下側）について説明する。
【００２４】
デカーラバー１４ｂの両端部は、幅方向両側の連結板１５ａ，１５ｂに回転自在に支持されている。そしてこのデカーラバー１４ｂの中間部の複数個所において紙通経路Ｌ側と反対側（下側）が受けコロ１６にて受けられている。１７はこの受けコロ１６を支持する複数個のブラケットであり、この各ブラケット１７は連結板１５ａ，１５ｂに固着したベースプレート１８に固着されている。そしてこの各ブラケット１７には、紙通経路Ｌ方向に離隔して２本の支軸１９ａ，１９ｂが貫通支持されており、各ブラケット１７の両側において、異なる支軸１９ａ，１９ｂに上記受けコロ１６が回転自在に支持されていて、受けコロ１６はデカーラバー１４ｂの紙通経路Ｌと反対側において軸直角方向に位相をずらせて、軸方向に千鳥状に支持するようになっている。
【００２５】
上記各支軸１９ａ，１９ｂには、各ブラケット１７に沿わせて配置する各受けコロ１６が軸方向に移動しないようにするために、各受けコロ１６間にカラーを配置してもよい。
【００２６】
上記デカーラバー１４ａ，１４ｂは、連続紙４に転接してこれのカールを除去するために十分小径のものが用いられる。また、このデカーラバー１４ａ，１４ｂ及び受けコロ１６の支承部にはボールベアリングが用いられていて、これらが極めて軽い力で回転されるようになっている。
【００２７】
幅方向両側の連結板１５ａ，１５ｂの外側にはナット部材２０，２０が固着してあり、この各ナット部材２０，２０は、上記連続紙加工装置１の加工部７の幅方向両側のフレーム２１，２１のそれぞれの内側に、上下方向に設けたねじ軸２２，２２に螺合されている。この両ねじ軸２２，２２は、傘歯車機構２３，２３を介してモータ２４，２４にて同期して正転及び逆転するようになっていて、例えば両ねじ軸２２，２２が正転したときにはデカーラ部１１が下動し、逆転したときには上動するようになっている。
【００２８】
経路長調整部１３は、連続紙４の一側面に転接する調整ローラ１３ａにて構成されていて、この調整ローラ１３ａは連続紙４を押し付ける方向に移動可能になっていて、これの移動量によりデカールローラ１０ｂと受けローラ１２間における連続紙４の経路長が変えられるようになっている。
【００２９】
上記経路長調整部１３は図４に示すようになっていて、これの調整ローラ１３ａの両端部は、幅方向両側のフレーム２１、２１の内側に上下方向に向けて設けられたねじ軸２５，２５に螺合したナット部材２６，２６に回転自在に支持されており、上記ねじ軸２５，２５を傘歯車機構２７，２７を介してモータ２８，２８にて同期して正逆転することにより、紙通経路Ｌと直角方向に上記調整ローラ１３ａが上下方向に移動されるようになっている。
【００３０】
上記デカーラ部１１と経路長調整部１３は連動して作動するようになっていて、調整ローラ１３ａはデカーラ部１１における連続紙４の経路長の変化が経路長調整部１３にて相殺される方向に移動されて、デカーラ装置２としての連続紙４の経路長が変化しないようになっている。
【００３１】
また上記デカーラ部１１における幅方向両側のねじ軸２２，２２は、この各ねじ軸２２，２２の基端に設けた傘歯車２３，２３の入力側の傘歯車を１本の軸にて連結し、この軸を１個のモータ２４にて回転することにより両ねじ軸２２，２２を駆動制御するようにしてもよい。経路長調整部１３においても同様で、１個のモータ２８にて両ねじ軸２５，２５を駆動制御するようにしてもよい。
【００３２】
上記構成において、デカーラ部１１における両デカーラ部材１１ａ，１１ｂは、これのデカーラバー１４ａ，１４ｂが紙通経路方向にずらせた例を示したが、上下方向に若干の隙間があく状態にして、両デカーラ部材１１ａ，１１ｂを紙通経路方向に同一位置に配置するようにしてもよい。
【００３３】
上記構成において、非デカーラ状態（中立状態）でのデカーラ部１１は図２に示すようになり、両デカーラ部材１１ａ，１１ｂの各デカーラバー１４ａ，１４ｂの頂部が両デカールローラ１０ａ，１０ｂを結ぶ紙通経路Ｌに接する位置にある。そしてこのときの経路長調整部１３は、これの調整ローラ１３ａを移動してデカールローラ１０ｂと受けローラ１２との間でループを作り、両ローラ１０ｂ、１２との間の連続紙４の経路長が両ローラ間の長さより長くなっている。この非デカーラ状態における経路長調整部１３のローラ間長さより長い余剰長さは、デカーラ部１１におけるデカーラ作動時において、この部分で長くなる余剰長さを相殺するに足りる長さになっている。
【００３４】
連続紙４の一側面、例えば上面側が幅方向に凸状にカールしている場合には、図３で実線で示すようにデカーラ部１１を下動して、これの上側のデカーラ部材１１ａのデカーラバー１４ａを上記連続紙４の上側面に転接する。これにより連続紙４の上側面は、上側のデカーラ部材１１ａのデカーラバー１４ａにてしごかれて、これの上側面のカールが除去されて連続紙４は平坦状になる。
【００３５】
このときにおいて、デカーラ部１１における両デカールローラ１０ａ，１０ｂ間の連続紙４の経路長は、デカーラバー１４ａの移動によるループ分だけ長くなる。一方、このときの経路長調整部１３の調整ローラ１３ａは図２に示した初期状態からループを緩める方向に移動し、ローラ１０ｂ，１２間の連続紙４の経路長を上記デカーラ部１１において長くなった分だけ短くなるようにする。これにより、デカーラ部１１における連続紙４の長さの変化が経路長調整部１３にて相殺される方向に調整され、デカーラ装置２内での連続紙４の長さに変化が生じない。
【００３６】
連続紙４の他側面、例えば下面側が幅方向に凸状にカールしている場合には、図３で鎖線で示すようにデカーラ部１１を上動して、これの下側でデカーラ部材１１ｂのデカーラバー１４ｂを上記連続紙４の下側面に転接する。これにより連続紙４の下側面は、下側のデカーラ部材１１ｂのデカーラバー１４ｂにてしごかれて、これの下側面のカールが除去される。
【００３７】
このときにおけるデカーラ装置２内における連続紙４の経路長は、上記連続紙４の上側面の場合と同様に調整ローラ１３ａが作動することにより変化が生じない。
【００３８】
上記デカーラ部１１の作動と経路長調整部１３の作動は、上記したように連動して行われるが、この作動はデカーラ部１１における経路長の変化をデカーラ部１１の上下方向の動きとして検知し、この検知量に応じて制御装置により、上記デカーラ部１１における経路長の変化が相殺される方向に経路長調整部１３を作動することによって行われるようになっている。
【００３９】
このようにデカーラ装置２のデカーラ部１１を作動させても、印刷部６から加工部７の切断装置７ｃ間の連続紙４の経路長は変わらず常時定位置に保持されるため、印刷絵柄と加工部における各種加工処理位置との位置関係は常時定位置に保持される。また、デカーラ装置２によるカール除去結果も、このデカーラ装置２による処理直後に連続紙４が切断装置７ｃにて切断されるので、デカーラ装置２によるカール除去状態の確認を切断装置７ｃによる切断作業と同時進行的に行うことができる。
【図面の簡単な説明】
【００４０】
【図１】デカーラ装置を備えた連続紙加工装置を示す正面図である。
【図２】デカーラ装置を概略的に示す構成説明図である。
【図３】デカーラ装置を概略的に示す作用説明図である。
【図４】デカーラ装置の構成を示す展開説明図である。
【図５】図４のＡ−Ａ断面矢視図である。
【図６】図４のＢ−Ｂ断面矢視図である。
【符号の説明】
【００４１】
１…連続紙加工装置、２…デカーラ装置、３…ロール紙、４…連続紙、５…給紙部、６…印刷部、６ａ，６ｂ，６ｃ…印刷ユニット、７…加工部、７ａ…糊塗布機、７ｂ…ミシン目加工機、７ｃ…切断装置、８…排出装置、９ａ，９ｂ…ローラ、１０ａ，１０ｂ…デカールローラ、１１…デカーラ部、１１ａ，１１ｂ…上側・下側のデカーラ部材、１３…経路長調整部、１３ａ…調整ローラ、１４ａ，１４ｂ…上側・下側のデカーラバー、１５ａ，１５ｂ…取付板、１６…受けコロ、１７…ブラケット、１８…ベースプレート、１９ａ，１９ｂ…支軸、２０，２６…ナット部材、２１…フレーム、２２，２５…ねじ軸、２３，２７…傘歯車機構、２４，２８…モータ。
【図１】
0005165418.tif 000002
【図２】
0005165418.tif 000003
【図３】
0005165418.tif 000004
【図４】
0005165418.tif 000005
【図５】
0005165418.tif 000006
【図６】
0005165418.tif 000007